(57)【要約】【課題】光ファイバ接続部材をバックプレーン側ではなくフロント側に設けてなる組立体を提供すること。【解決手段】シェルフ２００側に取り付けられる光ファイバ接続部材（レセプタクル）４００を本体部４１０と光コネクタ部４２０とに分け、本体部４１０をシェルフ２００にフローティング支持させると共に、光コネクタ部４２０を本体部４１０にフローティング支持させるように構成する。好ましくは、本体部４１０は、主としてｚ方向に移動可能なように、シェルフ２００にフローティング支持され、光コネクタ部４２０は、主としてｙｚ平面内で移動可能なように、本体部４１０にフローティング支持されている。【選択図】図４
2008298882.tif 000002
【特許請求の範囲】
【請求項１】
第１方向にフロントサイド及びリアサイドを有すると共に前記第１方向に直交する第２方向に高さを有し且つ前記第１方向及び前記第２方向に直交する第３方向に幅を有するシェルフと、前記第１方向及び前記第２方向にて規定される主面を有し且つ前記第１方向に沿って前記シェルフに挿入されることにより該シェルフに収容される複数のカードとを備えた組立体であって、
前記シェルフの前記フロントサイド近傍に取り付けられた複数の第１光ファイバ接続部材と、該複数の第１光ファイバ接続部材にそれぞれ対応する複数の第２光ファイバ接続部材とを更に備えており、
前記複数のカードのそれぞれは、前記フロントサイドに対応するフロントエッジを有しており、
前記複数の第２光ファイバ接続部材は、それぞれ、前記複数のカードの前記フロントエッジ近傍に取り付けられており、
前記複数の第１光ファイバ接続部材のそれぞれは、前記シェルフにフローティング支持された本体部と、該本体部にフローティング支持され且つ前記第２光ファイバ接続部材と接続可能な光コネクタ部とを備えている、
組立体。
【請求項２】
請求項１記載の組立体において、
前記本体部は、前記第２方向に移動可能なように、前記シェルフにフローティング支持されており、
前記光コネクタ部は、前記第２方向及び前記第３方向に移動可能なように、前記本体部にフローティング支持されている、
組立体。
【請求項３】
請求項１又は請求項２記載の組立体において、
前記本体部は、前記カードの前記シェルフへの挿入時に前記第３方向における前記第２光ファイバ接続部材の移動を規制する移動規制部を有しており、
前記光コネクタ部は、前記移動規制部により規制された状態で当該光コネクタ部の前記第２方向及び前記第３方向における位置を調整し、当該光コネクタ部を前記第２光ファイバ接続部材との接続に導くための位置調整部を有している、
組立体。
【請求項４】
請求項３記載の組立体において、
前記第２光ファイバ接続部材は、前記カードの主面に平行な平面部を有しており、
前記移動規制部は、前記第１方向及び前記第２方向で規定される面を有し、且つ、前記第３方向において前記第２光ファイバ接続部材の前記平面部に当接するものである、
組立体。
【請求項５】
請求項３又は請求項４記載の組立体において、
前記第２光ファイバ接続部材は、前記光コネクタ部と接続される部位の前記第２方向における両側面上に、前記第１方向に延びる第１の溝又は突条を有しており、
前記位置調整部は、前記光コネクタ部から前記第１方向に向かって平行に突出したアーム部を有しており、
前記アーム部の互いに対向する面上には、前記第１の溝又は突条に対応する第２の突条又は溝が形成されており、
前記第２光ファイバ接続部材の前記第１の溝又は突条に対して、前記アーム部の前記第２の突条又は溝をかみ合わせることにより、位置調整を行う、
組立体。
【請求項６】
請求項３乃至請求項５のいずれかに記載の組立体において、
前記複数のカードのそれぞれは、前記フロントエッジに設けられたフロントパネルを備えており、
前記フロントパネルは、前記第１方向に向かって突出したガイドピンを備えており、
前記第１光ファイバ接続部材の前記本体部は、粗誘導手段として、前記ガイドピンを受け入れるガイド穴を有している、
組立体。
【請求項７】
請求項６記載の組立体において、
ＡＴＣＡ（Advanced Telecom Computing Architecture）規格によるＡＴＣＡカード又はブレードに設けられているカード・アライメントピンを前記ガイドピンとして利用してなる、
組立体。
【請求項８】
請求項１乃至請求項７のいずれかに記載の組立体において、
前記シェルフは、前記第１方向及び前記第３方向で規定される平面に平行な略長板状のブリッジ部を、前記フロントサイドに備えており、
前記本体部は、該ブリッジ部に前記フローティング支持されており、
前記第２光ファイバ接続部材は、前記カードのフロントパネルに固定されている、
組立体。
【請求項９】
請求項１乃至請求項８のいずれかに記載の組立体において、
前記第２光ファイバ接続部材と前記第１光ファイバ接続部材のコネクタ部との接続状態をロックするロック機構を更に備える
組立体。
【発明の詳細な説明】
【技術分野】
【０００１】
本発明は、ブレードサーバ等において使用されるシェルフ・カード（ブレード）構成の組立体に関する。
【背景技術】
【０００２】
発熱量を抑えつつ大容量高速伝送を可能とするため、シェルフ・カード構成の組立体に対し、電気コネクタに加えて又は電気コネクタに代えて光ファイバ接続部材を取り付ける技術について種々提案されている（例えば、特許文献１及び特許文献２参照）。特許文献１及び特許文献２のいずれに記載の技術も、組立体のバックパネル又はバックプレーンに光ファイバ接続部材を取り付けてなるものである。
【０００３】
【特許文献１】特開２００４−１７１００３号公報
【特許文献２】特開平８−２１１２５０号公報
【発明の開示】
【発明が解決しようとする課題】
【０００４】
しかしながら、光ファイバ接続部材を組立体のバックパネル側に設けた場合には、例えばメンテナンス面で問題がある。具体的には、通常は、シェルフの奥行寸法に対して各カードに割り当てられる幅寸法が１／１０弱程度しかないことから、組立体のフロント側からバックパネルまでメンテナンス用器具等を挿入して光ファイバ接続部材のメンテナンスを行うのは困難である。
【０００５】
そこで、本発明は、光ファイバ接続部材をバックプレーン側ではなくフロント側に設けてなる組立体を提供することを目的とする。
【課題を解決するための手段】
【０００６】
例えば、ＡＴＣＡ（Advanced Telecom Computing Architecture）などの規格によれば、バックプレーン側には電気コネクタが設けられており、それらのブラインド・メイト用に位置決め手段も設けられている。一方、フロントサイドにおける位置決め手段としては、カードのアライメントピンとシェルフの位置決め穴が設けられている。しかし、このフロントサイドの位置決め手段は、カードのキャプティブリテンションスクリューをシェルフのネジ穴に固定するために誘導する目的で設けられているものであり、光コネクタの嵌合を誘導するには精度が不十分である。この位置決め機構を、光コネクタの嵌合を誘導するのに十分な精度とするとコスト大となり、且つ、光ファイバ接続部材の取付位置や部材の形状等のバラつきなどにより、対応する光ファイバ接続部材対の相対位置にもバラつきが生じることが予想され、必要な精度を得ることは困難である。そこで、本発明では、かかるバラつきを吸収し、光ファイバ接続部材対の相対位置決めを容易にするため、シェルフ側の光ファイバ接続部材を、シェルフにフローティング支持された本体部と当該本体部にフローティング支持された光コネクタ部とからなるダブル・フローティング構造とした。
【０００７】
より具体的には、本発明によれば、第１の組立体として、第１方向にフロントサイド及びリアサイドを有すると共に前記第１方向に直交する第２方向に高さを有し且つ前記第１方向及び前記第２方向に直交する第３方向に幅を有するシェルフと、前記第１方向及び前記第２方向にて規定される主面を有し且つ前記第１方向に沿って前記シェルフに挿入されることにより該シェルフに収容される複数のカードとを備えた組立体であって：前記シェルフの前記フロントサイド近傍に取り付けられた複数の第１光ファイバ接続部材と、該複数の第１光ファイバ接続部材にそれぞれ対応する複数の第２光ファイバ接続部材とを更に備えており；前記複数のカードのそれぞれは、前記フロントサイドに対応するフロントエッジを有しており；前記複数の第２光ファイバ接続部材は、それぞれ、前記複数のカードの前記フロントエッジ近傍に取り付けられており；前記複数の第１光ファイバ接続部材のそれぞれは、前記シェルフにフローティング支持された本体部と、該本体部にフローティング支持され且つ前記第２光ファイバ接続部材と接続可能な光コネクタ部とを備えている、組立体が得られる。
【０００８】
また、本発明によれば、第２の組立体として、前記第１の組立体において、前記本体部は、前記第２方向に移動可能なように、前記シェルフにフローティング支持されており、前記光コネクタ部は、前記第２方向及び前記第３方向に移動可能なように、前記本体部にフローティング支持されている、組立体が得られる。
【０００９】
また、本発明によれば、第３の組立体として、前記第１又は第２の組立体において、前記本体部は、前記カードの前記シェルフへの挿入時に前記第３方向における前記第２光ファイバ接続部材の移動を規制する移動規制部を有しており、前記光コネクタ部は、前記移動規制部により規制された状態で当該光コネクタ部の前記第２方向及び前記第３方向における位置を調整し、当該光コネクタ部を前記第２光ファイバ接続部材との接続に導くための位置調整部を有している、組立体が得られる。
【００１０】
また、本発明によれば、第４の組立体として、前記第３の組立体において、前記第２光ファイバ接続部材は、前記カードの主面に平行な平面部を有しており、前記移動規制部は、前記第１方向及び前記第２方向で規定される面を有し、且つ、前記第３方向において前記第２光ファイバ接続部材の前記平面部に当接するものである、組立体が得られる。
【００１１】
また、本発明によれば、第５の組立体として、前記第３又は第４の組立体において、前記第２光ファイバ接続部材は、前記光コネクタ部と接続される部位の前記第２方向における両側面上に、前記第１方向に延びる第１の溝又は突条を有しており、前記位置調整部は、前記光コネクタ部から前記第１方向に向かって平行に突出したアーム部を有しており、前記アーム部の互いに対向する面上には、前記第１の溝又は突条に対応する第２の突条又は溝が形成されており、前記第２光ファイバ接続部材の前記第１の溝又は突条に対して、前記アーム部の前記第２の突条又は溝をかみ合わせることにより、位置調整を行う、組立体が得られる。
【００１２】
また、本発明によれば、第６の組立体として、前記第３乃至第５のいずれか一つの組立体において、前記複数のカードのそれぞれは、前記フロントエッジに設けられたフロントパネルを備えており、前記フロントパネルは、前記第１方向に向かって突出したガイドピンを備えており、前記第１光ファイバ接続部材の前記本体部は、粗誘導手段として、前記ガイドピンを受け入れるガイド穴を有している、組立体が得られる。
【００１３】
また、本発明によれば、第７の組立体として、前記第６の組立体において、ＡＴＣＡ（Advanced Telecom Computing Architecture）規格によるＡＴＣＡカード又はブレードに設けられているカード・アライメントピンを前記ガイドピンとして利用してなる、組立体が得られる。
【００１４】
また、本発明によれば、第８の組立体として、前記第１乃至第７のいずれか一つの組立体において、前記シェルフは、前記第１方向及び前記第３方向で規定される平面に平行な略長板状のブリッジ部を、前記フロントサイドに備えており、
前記本体部は、該ブリッジ部に前記フローティング支持されており、
前記第２光ファイバ接続部材は、前記カードのフロントパネルに固定されている、
組立体が得られる。
【００１５】
また、本発明によれば、第９の組立体として、前記第１乃至第８のいずれか一つの組立体において、前記第２光ファイバ接続部材と前記第１光ファイバ接続部材のコネクタ部との接続状態をロックするロック機構を更に備える組立体が得られる。
【発明の効果】
【００１６】
本発明によれば、光ファイバ接続部材に二重のフローティング構造を持たせたことから、光ファイバ接続部材の取付位置や部材の形状等のバラつきなどに起因した光ファイバ接続部材対の相対位置におけるバラつきを吸収することができ、従って、光ファイバ接続部材対のブラインド・メイトが可能となる。
【００１７】
また、移動規制部やガイドピンに対応したガイド穴と、位置調整部を備えることとした場合には、移動規制部やガイドピンに対応したガイド穴を用いた粗誘導・粗調整を行った後に、位置調整部を用いた微調整をすることにより、ブラインド・メイトの精度の向上を図ることができる。
【００１８】
特に、例えば、ＡＴＣＡ（Advanced Telecom Computing Architecture）規格によるＡＴＣＡカード又はブレードに設けられているカード・アライメントピンをガイドピンとして利用することとすれば、従来の電気コネクタを対象としたＡＴＣＡシェルフ及びＡＴＣＡカードのような汎用構成に対して大きな変更を加えることなく、本発明の組立体を構成することができる。
【発明を実施するための最良の形態】
【００１９】
以下、本発明の実施の形態によるシェルフ・カード構成の組立体について図１乃至図１１を参照して詳細に説明する。
【００２０】
図１に示されるように、本実施の形態による組立体１００は、シェルフ２００と複数のカード３００を備えている。本実施の形態による組立体１００は、ＡＴＣＡ規格をベースとしたものである。即ち、シェルフ２００はＡＴＣＡシェルフであり、またカード３００はＡＴＣＡカード（又はブレード）である。シェルフ２００は、ｚ方向（第２方向）上部に、略長板状の部位を有するブリッジ２１０を備えている。本実施の形態におけるブリッジ２１０は、ｚ方向上方から見た場合に、略梯子状形状を有しており、その梯子状形状の横木に相当する部位に、第１の光ファイバ接続部材として機能するレセプタクル４００が取り付けられている。レセプタクル４００の取付形態の詳細については、図３〜図６などを用いて後述する。一方、本実施の形態におけるカード３００は、図２及び図９に示されるように、ｘｚ平面に主面を有するカード基板３１０と、フロントパネル３２０を備えており、フロントパネル３２０には、第２の光ファイバ接続部材として機能するプラグ５００が取り付けられている。ここで、カード３００は、ＡＴＣＡ規格に準拠したものであるので、フロントパネルの裏面（プラグ５００の取付面）には図１０に示されるようにｘ方向（第１方向）に突出したカード・アライメントピン３２２が設けられている。このカード・アライメントピン３２２は、カード３００をシェルフ２００に挿入する際、図２に示されるようなシェルフ２００のフロントサイドに設けられたカード・アライメント孔２５０に挿入される。
【００２１】
図３に示されるように、本実施の形態によるレセプタクル４００は、本体部４１０及び光コネクタ部４２０を備えている。図７に模式的に示されるように、光コネクタ部４２０にはＭＴフェルール４３０が摺動自在に組み込まれており、スプリング４４０によって、ｘ方向前方に（対向するプラグ５００に向かうように）常時付勢されている。ＭＴフェルール４３０には、光コネクタ部４２０のｘ方向後方からブーツ４５０を介して光ファイバ６００が挿入されている。
【００２２】
一方、図９を参照すると、本実施の形態によるプラグ５００は、フロントパネル３２０に固定された被固定部５１０と、被固定部５１０からｘ方向に突出するように設けられた光コネクタ部５２０を備えている。光コネクタ部５２０にはＭＴフェルール５３０が組み込まれており、ＭＴフェルール５３０にはプラグ５００の被固定部５１０及び光コネクタ部５２０を介して光ファイバ７００が挿入されている。以上より明らかなように、レセプタクル４００に対してプラグ５００を接続すると、光ファイバ６００と光ファイバ７００との光接続がなされる。この光ファイバ６００と光ファイバ７００のブラインド・メイトを実現するため、本実施の形態においては、以下に詳述するような構成を採用してある。
【００２３】
図３に示されるように、本体部４１０のｚ方向上部には、略直方体状のネック部４１４が設けられている。このネック部４１４は、図４乃至図６に示されるように、梯子状の下側板バネ部２３２の開口部２３２ａ、ブリッジ２１０の開口部２１２、梯子状の上側板バネ部２３４の開口部２３４ａに順次挿入された後、開口部２１２及び開口部２３４ａよりも大きい止め具２４０に接続される。止め具２４０の孔にネジを挿入し、ネック部４１４のネジ孔にネジ込むことにより、レセプタクル４００がブリッジ２１０にフローティング状態に固定される。ネック部４１４のｘｙ平面に沿った断面は、下側バネ部２３２の開口部２３２ａ、ブリッジ２１０の開口部２１２、上側バネ部２３４の開口部２３４ａよりも若干狭く、また、ネック部４１４の高さ（ｚ方向における長さ）は、ブリッジ２１０の厚みよりも大きい（特に、図６参照）。このような構成により、本体部４１０は、主としてｚ方向に移動可能なように、シェルフ２００のブリッジ２１０にフローティング支持されている。なお、ネック部４１４の外径と開口部２１２の内径とには隙間があり、これにより、ｘ方向とｙ方向にもフローティングすることができる。
【００２４】
本実施の形態においては、更に、光コネクタ部４２０が本体部４１０にフローティング支持されている。詳しくは、図７及び図８に示されるように、光コネクタ部４２０には、ｙ方向（第３方向）に突出した凸部４２３が形成されている一方、本体部４１０には、その凸部４２３を収容する収容穴４１８が形成されている。この収容穴４１８及び凸部４２３を含む部分のｙｚ平面断面図である図８から明らかなように、本体部４１０の収容穴４１８を含む部分は、光コネクタ部４２０の凸部４２３を含む部分よりも若干大きく設計されている。そのため、本実施の形態における光コネクタ部４２０は、主としてｙ方向及びｚ方向に若干移動可能なように、本体部４１０にフローティング支持されている。この結果、本実施の形態においける光コネクタ部４２０は、シェルフ２００からみると、二重にフローティング支持されていることとなっている。
【００２５】
再び、図３を参照すると、本体部４１０には、ｘ方向前端面からｘ方向後方に向かって延びるガイド穴４１２が形成されている。このガイド穴４１２は、カード３００をシェルフ２００に挿入する際、カード・アライメント孔２５０を通過したカード・アライメントピン３２２を受け入れるためのものである（図２及び図１０参照）。このように、既存の規格に従って設けられているカード・アライメントピン３２２をガイド穴４１２に挿入させることにより、設計変更を最小限に抑えつつ、プラグ５００のレセプタクル４００に対する粗誘導を行うことができる。
【００２６】
図３及び図９に示されるように、本体部４１０の光コネクタ部４２０側の面には、ｘｚ平面に平行なガイド面部４１６が形成されている。このガイド面部４１６は、プラグ５００の光コネクタ部５２０のカード基板３１０と対抗する面５０２（図１０参照）に対応するものである。ガイド面部４１６も面５０２も平面であるので、平面に平行な方向への動きは許容されるものの、ガイド面部４１６と面５０２とを当接させた後における平面に直交する方向への動きは規制されることとなる。即ち、本体部４１０のガイド面部４１６は、カード３００のシェルフ２００への挿入時においてプラグ５００のｙ方向における移動を規制する移動規制部として機能する。なお、本実施の形態においては、ガイド面部４１６のｘ方向の端部を本体部４１０の端部と同一にしてあるが、ガイド面部４１６の端部を本体部４１０の端面よりもｘ方向後方に位置するように構成してもよいし、その場合、本体部４１０の端部からガイド面部４１６の端面に向かう途中にベベル部を設けることとしてもよい。
【００２７】
更に、図３，図７及び図９に示されるように、光コネクタ部４２０はｚ方向両端からｘ方向に向かって平行に突出したアーム部４２４を備えている。これらアーム部４２４の互いに対向する面上であってｘ方向先端部分には、ｘ方向に延びる溝４２６と溝４２６に直交する溝４２８が形成されている。即ち、アーム部４２４のｘ方向先端部分には、図３及び図７に示されるように十字状の溝が形成されている。
【００２８】
一方、図９に示されるように、プラグ５００側の光コネクタ部５２０のｚ方向における両側面上には、光コネクタ部５２０の先端からｘ方向に沿って延びる突条５２２と、突条５２２に対してＴ字状の形状を構成するように設けられた突条５２４が形成されている。即ち、突条５２４はｙ方向に沿って延びている。
【００２９】
これらの溝及び突条のうち、レセプタクル４００に設けられた溝４２６とプラグ５００に設けられた突条５２２は、レセプタクル４００とプラグ５００との最終的な位置調整を行い、レセプタクル４００とプラグ５００とを適切な嵌合状態に導くための位置調整部として機能する。
【００３０】
一方、レセプタクル４００に設けられた溝４２８とプラグに設けられた突条５２４は、レセプタクル４００とプラグ５００との嵌合状態をロックするためのロック機構として機能する。
【００３１】
上記のように、レセプタクル４００のアーム部４２４の先端部分とプラグ５００の光コネクタ部５２０の側面部分とは、位置調整部として機能すると共にロック機構としても機能するが、これらを別途独立して設けることとしても良い。その場合、本実施の形態の構成とは異なり、レセプタクル４００に突条を設ける一方で当該突条に対応するプラグ５００に溝を設け、それらを位置調整部として機能させることとしてもよい。
【００３２】
なお、本実施の形態におけるアーム部４２４の長さは、アーム部４２４がガイド面部４１６のｘ方向端部（即ち、本実施の形態においては、本体部４１０のｘ方向前端部）を超えないようにして定められている。このようにすることにより、カード挿入操作を行う際に、移動規制部による移動規制が行われた後に、位置調整部による位置調整が行われるようにすることができる。
【００３３】
以上説明した構成を備える組立体１００において、プラグ５００とレセプタクル４００との接続は以下に記載するようにして行われる。
【００３４】
まず、カード３００をシェルフ２００に挿入する際、プラグ５００の面５０２をレセプタクル４００のガイド面部４１６に当接させることによりｙ方向における粗位置決めを行い、次いで、カード３００のフロントパネル３２０に設けられたカード・アライメントピン３２２をレセプタクル４００のガイド穴４１２に挿入することでプラグ５００のレセプタクル４００に対する粗誘導を行う。これにより、シェルフ２００にフローティング支持されている本体部４１０のｚ方向における位置決めが概略行われる。なお、本実施の形態によるカード・アライメントピン３２２はＡＴＣＡ規格に基づいて設計されたものであり、プラグ５００の光コネクタ部５２０よりも短く設定されているため、ガイド面部４１６による粗位置決めが行われた後にカード・アライメントピン３２２による粗誘導が行われることとなっているが、規格に基づく必要がない場合には、カード・アライメントピン３２２による粗誘導が行われた後にガイド面部４１６による粗位置決めが行われるように変更してもよい。
【００３５】
次いで、ガイド面部４１６によるｙ方向への移動規制を行いながら且つカード・アライメントピン３２２による粗誘導を行いつつ、カード３００をシェルフ２００内に更に挿入すると、レセプタクル４００の光コネクタ部４２０が本体部４１０にフローティング支持されていることにより、レセプタクル４００のアーム部４２４間にプラグ５００の光コネクタ部５２０が挿入される際に、レセプタクル４００の溝４２６とプラグ５００の突条５２２とがかみ合うようにレセプタクル４００の光コネクタ部４２０が変位し、それにより、レセプタクル４００とプラグ５００の相対的な位置の微調整が行われ、レセプタクル４００とプラグ５００とが適切な嵌合状態に導かれる。
【００３６】
その後、カード３００をシェルフ２００内に更に押し込むと、図１１に示されるように、レセプタクル４００の溝４２８とプラグ５００の突条５２４とがかみ合い、それによりレセプタクル４００とプラグの嵌合状態がロックされる。
【００３７】
次いで、シェルフ２００のフロントサイドに設けられたキャプティブリテンションスクリュー用のネジ孔２７０に対して、カード３００のキャプティブリテンションスクリュー３３０をねじ込むことにより（図２参照）、カード３００がシェルフ２００に固定され、それにより、振動等によるカード３００の脱落が防止される。
【００３８】
以上説明したように、本発明の実施の形態においては、シェルフ２００によるレセプタクル４００の支持をダブル・フローティング構造としたことから、レセプタクル４００／プラグ５００のシェルフ２００／カード３００への取付位置やレセプタクル４００及び／又はプラグ５００の形状等のバラつきなどを吸収することができ、ブラインド・メイトを適切に行うことができる。
【００３９】
なお、上述した実施の形態においては、光ファイバ接続部材対（プラグ及びレセプタクル）をカード３００の上側及びシェルフ２００の上部に設けた例について説明してきたが、本発明はこれに限定されるものではなく、例えば、光ファイバ接続部材対をカード３００の下側及びシェルフ２００の下部に設けることとしてもよい。更に、本発明による光ファイバ接続部材対をカード３００及びシェルフ２００の上下両方に組み込むこととすれば、倍のチャネル数の光接続にも対応することができる。
【図面の簡単な説明】
【００４０】
【図１】本発明の実施の形態によるシェルフ・カード構成の組立体を示す斜視図である。
【図２】図１に示される組立体の部分拡大図であって、カードをシェルフに挿入する直前の状態を示す図である。
【図３】本発明の実施の形態によるレセプタクルを示す斜視図である。
【図４】図３のレセプタクルをシェルフに取り付けた状態を示す斜視図である。
【図５】図４の斜視図に対応する分解斜視図である。
【図６】図３のＶＩ−ＶＩ線に沿った断面図であって、レセプタクルをシェルフのブリッジに取り付けた状態を示す図である。
【図７】図３に示されるレセプタクルのＶＩＩ−ＶＩＩ線に沿った断面図である。
【図８】図３に示されるレセプタクルのＶＩＩＩ−ＶＩＩＩ線に沿った断面図である。
【図９】本発明の実施の形態によるレセプタクルとプラグとの関係を示す斜視図である。
【図１０】本発明の実施の形態によるレセプタクルとプラグとの関係を示す他の斜視図である。
【図１１】本発明の実施の形態によるレセプタクルとプラグの嵌合状態を示す側面図である。
【符号の説明】
【００４１】
１００        組立体
２００        シェルフ
２１０        ブリッジ
２１２        開口部
２３２        下側板バネ部
２３２ａ      開口部
２３４        上側板バネ部
２３４ａ      開口部
２４０        止め具
２５０        カード・アライメント孔
２７０        ネジ孔
３００        カード
３１０        カード基板
３２０        フロントパネル
３２２        カード・アライメントピン
３３０        キャプティブリテンションスクリュー
４００        レセプタクル
４１０        本体部
４１２        ガイド穴
４１４        ネック部
４１６        ガイド面部
４１８        収容部
４２０        光コネクタ部
４２３        凸部
４２４        アーム部
４２６        溝
４２８        溝
４３０        ＭＴフェルール
４４０        スプリング
４５０        ブーツ
５００        プラグ
５０２        面
５１０        被固定部
５２０        光コネクタ部
５２２        突条
５２４        突条
５３０        ＭＴフェルール
６００，７００  光ファイバ
【図１】
2008298882.tif 000003
【図２】
2008298882.tif 000004
【図３】
2008298882.tif 000005
【図４】
2008298882.tif 000006
【図５】
2008298882.tif 000007
【図６】
2008298882.tif 000008
【図７】
2008298882.tif 000009
【図８】
2008298882.tif 000010
【図９】
2008298882.tif 000011
【図１０】
2008298882.tif 000012
【図１１】
2008298882.tif 000013